(57)【特許請求の範囲】
【請求項１】
不燃木材からなる枠材であって、複数の不燃木材を重ね合わせ、該重ね合わせた不燃木材の当接面と直交する外表面に形成された溝内に、前記複数の不燃木材に亘って接合部材を収容するように配設し、該接合部材と、少なくとも重ね合わせた不燃木材の両端に位置する不燃木材とを固定手段によって固定するようにしたことを特徴とする枠材。
【請求項２】
前記接合部材が、建具のレール部材であることを特徴とする請求項１記載の枠材。
【請求項３】
前記不燃木材の厚みを、５０ｍｍ以下に設定してなることを特徴とする請求項１又は２記載の枠材。
【請求項４】
前記重ね合わせた不燃木材の当接面が、接着剤により接着されてなることを特徴とする請求項１、２又は３記載の枠材。
【発明の詳細な説明】
【技術分野】
【０００１】
本発明は、枠材に関し、特に、複数の不燃木材を重ね合わせて構成した枠材に関するものである。
【背景技術】
【０００２】
従来、学校等で用いられる間仕切りとして、木材を用いて室内全体に暖かみを醸し出すようにした間仕切りが広く採用されている（例えば、特許文献１〜２参照）。
【０００３】
ところで、間仕切りに木材を用いた場合、耐火性が低いという問題があった。
【０００４】
このため、建築基準法に準拠して開発され、実用化されている不燃化処理を施した不燃材料（本明細書において、「不燃木材」という。）を、間仕切りに使用することが考えられる。
【０００５】
ところで、不燃材料を評価するための試験の代表的なものとして、ＩＳＯ５６６０−１コーンカロリーメータ法に準拠した発熱性試験がある。
【０００６】
この発熱性試験は、試験を行うことができる試料の大きさ（厚さ）に制限があり、厚みが５０ｍｍを超えるものについては試験が行えないという制約があった。
このため、不燃木材を間仕切りの枠材として使用する場合、厚みが５０ｍｍを超えるものについては、単独の材料で構成することができず、これを超える寸法の枠材が必要となる場合には、複数の不燃木材を重ね合わせ、接着剤等によって貼り合わせて使用することが必要となる。
しかし、本発明者らの実験によると、不燃木材は、木材の内部に注入、含浸させたホウ酸を主とした不燃薬剤が析出し、接着剤等により貼り合わせた不燃木材同士の接着性能が低下し接着面が剥離しやすくなることが判明した。
【先行技術文献】
【特許文献】
【０００７】
【特許文献１】特開２０００−３０３５９４号公報
【特許文献２】特開２０００−３２０１５８号公報
【発明の概要】
【発明が解決しようとする課題】
【０００８】
本発明は、上記不燃木材を枠材として使用する際に生じる問題点に鑑み、重ね合わせた不燃木材の当接面の剥離を抑制し、接合した不燃木材の分離を防止することができる枠材を提供することを目的とする。
【課題を解決するための手段】
【０００９】
上記目的を達成するため、本発明の枠材は、不燃木材からなる枠材であって、複数の不燃木材を重ね合わせ、該重ね合わせた不燃木材の当接面と直交する外表面に形成された溝内に、前記複数の不燃木材に亘って接合部材を収容するように配設し、該接合部材と、少なくとも重ね合わせた不燃木材の両端に位置する不燃木材とを固定手段によって固定するようにしたことを特徴とする。
【００１０】
この場合において、前記接合部材を、建具のレール部材とすることができる。
【００１１】
また、前記不燃木材の厚みを、５０ｍｍ以下に設定することができる。
【００１２】
また、前記重ね合わせた不燃木材の当接面を、接着剤により接着することができる。
【発明の効果】
【００１３】
本発明の枠材によれば、複数の不燃木材を重ね合わせ、該重ね合わせた不燃木材の当接面と直交する外表面に、前記複数の不燃木材に亘って接合部材を配設し、該接合部材と、少なくとも重ね合わせた不燃木材の両端に位置する不燃木材とを固定手段によって固定するようにしたことにより、重ね合わせた不燃材料同士が接合部材を介して接合され、重ね合わせた不燃木材の当接面の剥離を抑制し、不燃木材が分離することを防止することができる。
【００１４】
また、接合部材を、建具のレール部材としたことにより、枠材を間仕切りパネルとして用いる際の部品点数を削減することができ、間仕切りパネルのトータルコストの低廉化を図ることができる。
【００１５】
また、前記不燃木材の厚みを、５０ｍｍ以下に設定することにより、発熱性試験を行った材料を適用することができる。
【００１６】
また、重ね合わせた不燃木材の当接面を、接着剤により接着することにより、重ね合わせた不燃材料と接合部材とを固定する前に、溝加工等を容易に施すことができ、また、固定手段による接合部材との固定の際、複数の不燃木材が分離することを防止するための把持手段を用意することなく固定することができる。
【図面の簡単な説明】
【００１７】
【図１】本発明の枠材の一実施例を示し、（ａ）は側面図、（ｂ）は正面図である。
【図２】同枠材の組み立て加工手順の説明図で、（ａ）は３枚の不燃木材を並べた状態を、（ｂ）は３枚の不燃木材の当接面を接着剤で接着した状態を、（ｃ）は接着した不燃木材の当接面と直交する外表面に必要な溝加工を施した状態を、（ｄ）は当接面と直交する外表面に接合部材を配設する直前の状態を、（ｅ）は当接面と直交する外表面に接合部材を配設し、固定手段によって接合部材と重ね合わせた不燃木材とを固定した状態を示す。
【図３】同枠材を用いた間仕切りパネルを示し、（ａ）は正面図、（ｂ）は一部切り欠き断面の側面図である。
【図４】同枠材を用いた間仕切りパネルの別の例を示し、（ａ）は正面図、（ｂ）は一部切り欠き断面の側面図である。
【発明を実施するための形態】
【００１８】
以下、本発明の枠材の実施の形態を、図面に基づいて説明する。
【実施例１】
【００１９】
図１〜図４に、本発明の枠材の一実施例を示す。
この枠材１は、不燃木材からなるものであって、より詳細には、複数の不燃木材１０Ａ、１０Ｂ、１０Ｃを重ね合わせ、重ね合わせた不燃木材１０Ａ、１０Ｂ、１０Ｃの当接面１０ａと直交する外表面１０ｂに、複数の不燃木材１０Ａ、１０Ｂ、１０Ｃに亘って接合部材２を配設し、この接合部材２と、少なくとも重ね合わせた不燃木材１０Ａ、１０Ｂ、１０Ｃのうち、両端に位置する不燃木材１０Ａ、１０Ｃとを固定手段３によって固定するようにしている。
【００２０】
ところで、一般に建築物に用いられる間仕切りパネル、例えば、教室と廊下とを仕切る学校用の間仕切りパネルには、図３に示すような、出入り口として扉９０（本実施例においては、引戸扉）と扉９０の上の障子９１（ガラス窓等を嵌めた障子）とを備えた教室の前後に配備される両端の間仕切りパネルＰ１や、図４に示すような、上方が障子９１（ガラス窓等を嵌めた障子）で、下方が羽目板９２からなる間仕切りパネルＰ２を組み合わせて用いるようにしている。
【００２１】
間仕切りパネルＰ１の場合、パネルに使用される枠材には、上枠５、下枠６Ａ（引戸扉のレールの場合には金属製）、無目７（横桟）及び両竪枠８、８があり、間仕切りパネルＰ２の場合、パネルに使用される枠材は、上枠５、下枠６Ｂ、無目７（横桟）及び両竪枠８、８がある。
【００２２】
これらの枠材のうち、上枠５及び竪枠８の寸法Ｗ５、Ｗ８（図３（ａ）及び図４（ａ）参照）は、５０ｍｍ以下のため、不燃木材を使用する場合であっても、単独の不燃木材が使用可能で、複数の不燃木材を重ね合わせて用いる必要はない。
【００２３】
一方、無目７及び間仕切りパネルＰ２の下枠６Ｂの奥行き方向の寸法（厚み）Ｄはいずれも１００ｍｍ前後と５０ｍｍを超えている（寸法Ｗ７、Ｗ６（図３（ａ）及び図４（ａ）参照）はいずれも１００ｍｍ前後。）ため、単独の不燃木材が使用できず、複数の不燃木材を重ね合わせて用いる必要が生じる。
なお、上枠５及び竪枠８であっても、構造上、無目７及び下枠６Ｂと同様に、複数の不燃木材を重ね合わせて用いる必要が生じる場合があるが、本実施例においては、無目７及び間仕切りパネルＰ２の下枠６Ｂのみに本発明の枠材１を使用する場合について説明する。
【００２４】
次に、この枠材１を、間仕切りパネルＰ１の無目７用として加工する例を、図２に基づいて説明する。
無目７及び間仕切りパネルＰ２の下枠６Ｂは上述したとおり、奥行き方向の寸法（厚み）Ｄが５０ｍｍを超えており、単独の不燃木材が使用できず、複数（本実施例においては、３枚）の不燃木材１０Ａ、１０Ｂ、１０Ｃを重ね合わせて構成している。
【００２５】
不燃木材の重ね合わせる枚数は、奥行き方向の寸法（厚み）Ｄによって異なるが、例えば、奥行き方向の寸法（厚み）Ｄが１０２ｍｍ、寸法Ｗが１００ｍｍの無目７の場合、寸法Ｗに合わせて不燃木材を重ね合わせると、化粧面（外側に露出する枠材の表面）に当接面１０ａの端部が現れ、不燃木材の継ぎ目が見えることとなるため意匠的に好ましくなく、奥行き方向に重ね合わせるようにする。
そのため、本実施例においては、寸法Ａ１（当接面１０ａと直交する方向の厚さ寸法）を３４ｍｍ、寸法Ａ２を１００ｍｍ、長さ寸法を所望の長さ（例えば、２０００ｍｍ）に形成した３枚の不燃木材１０Ａ、１０Ｂ、１０Ｃを用意する（図２（ａ）参照）。
【００２６】
このように、不燃木材の厚み、具体的には、当接面１０ａと直交する方向の厚さ寸法（寸法Ａ１）を、５０ｍｍ以下に設定することにより、ＩＳＯ５６６０−１コーンカロリーメータ法に準拠した発熱性試験を行った材料を適用することができる。
【００２７】
そして、３枚の不燃木材１０Ａ、１０Ｂ、１０Ｃを、当接面１０ａ同士が当接するようにして重ね合わせて、枠材１を構成する不燃木材とする。
このとき、重ね合わせた不燃木材１０Ａ、１０Ｂ、１０Ｃの当接面１０ａ同士を、接着剤により接着する。
これにより、固定手段３によって接合部材２と不燃木材１０Ａ、１０Ｂ、１０Ｃとを固定する前に、例えば、当接面１０ａと直交する外表面１０ｂに溝加工等を容易に施すことができ、また、固定手段３による接合部材２との固定の際、複数の不燃木材１０Ａ、１０Ｂ、１０Ｃが分離することを防止するための把持手段（図示省略）を用意することなく固定することができる（図２（ｂ）〜図２（ｃ）参照）。
【００２８】
当接面１０ａと直交する外表面１０ｂに必要な溝加工を施した不燃木材１０Ａ、１０Ｂ、１０Ｃが重ね合わされて構成された不燃木材の当接面１０ａと直交する外表面１０ｂに接合部材２を配設し、固定手段３によって、不燃木材１０Ａ、１０Ｂ、１０Ｃと接合部材２とを固定する（図２（ｄ）〜図２（ｅ）参照）。
固定手段３による固定は、少なくとも重ね合わせた不燃木材１０Ａ、１０Ｂ、１０Ｃのうち、両端位置する不燃木材１０Ａ及び不燃木材１０Ｃと接合部材２とを固定することで、間に位置する不燃木材１０Ｂは両端の不燃木材１０Ａ及び不燃木材１０Ｃによって挟み込まれ固定されるものであるが、複数の不燃木材１０Ａ、１０Ｂ、１０Ｃのすべてと接合部材２とを固定することもできる。
【００２９】
なお、本実施例においては、不燃木材１０Ａ、１０Ｂ、１０Ｃの当接面１０ａ同士を、接着剤により接着するようにしたが、個別に溝加工を施した不燃木材１０Ａ、１０Ｂ、１０Ｃを接着剤により接着することなく、接合部材２を介して固定手段３によって固定するようにすることもできる。
また、特に、溝加工を施さない場合には、接着剤により接着することなく、接合部材２を介して固定手段３によって固定するようにすることができる（参考例）。
【００３０】
また、接合部材２を、建具（本実施例においては、障子９１）のレール部材２Ａとし、接合部材にレール部材を兼用させることができる。
これによって、枠材１を間仕切りパネルＰ１、Ｐ２として用いる際の部品点数を削減することができ、間仕切りパネルＰ１、Ｐ２のトータルコストの低廉化を図ることができる。
【００３１】
この接合部材２は、建具のレール部材２Ａとするほか、無目７の下側では扉（引戸扉）の上側のガイド材としたり、間仕切りパネルＰ２の下枠６Ｂの下側の場合には、アンカとの接合材とすることができる。
また、接合部材２は、特に、レール部材２Ａとするときは、枠材１の長手方向（本実施例においては、例えば、２０００ｍｍ）全長に亘って、配設するようにしているが、レール部材２Ａやガイド材として兼用しない場合には、複数の不燃木材１０Ａ、１０Ｂ、１０Ｃを固定することができるものであれば、長手方向を短尺（例えば、３０〜５０ｍｍ）の接合部材２を、重ね合わせた不燃木材１０Ａ、１０Ｂ、１０Ｃの当接面１０ａと直交する外表面１０ｂの数カ所に間隔をあけて配設するようにすることができる。
【００３２】
接合部材２の材質は、固定手段３を介して不燃木材１０Ａ、１０Ｂ、１０Ｃと固定することができるものであればよく、金属製のほか、合成樹脂製、木製（不燃木材を含む。）とすることができる。
【００３３】
固定手段３は、不燃木材１０Ａ、１０Ｃ（１０Ｂ）と接合部材２とを固定することができるものであればよく、本実施例においては、木ねじを使用するようにしている。
なお、固定手段３は、接合部材２から突出させた楔状片（例えば、接合部材２を板状の金属製とし、この金属板の一部を楔形状に切り欠いて屈曲させることで構成する。）とし、この楔状片を不燃木材１０Ａ、１０Ｃ（１０Ｂ）に打ち込むようにして接合部材２と不燃木材１０Ａ、１０Ｂ、１０Ｃとを固定することもできる。
【００３４】
このように加工した枠材１は、間仕切りパネルＰ１においては無目７に、間仕切りパネルＰ２においては無目７及び下枠６Ｂに用いられる。
間仕切りパネルＰ１の無目７として使用される場合には、上側の接合部材２がレール部材２Ａとなり、障子９１を案内し、下側の接合部材２が扉９０の上側のガイド材となって扉９０の走行をガイドする。
また、間仕切りパネルＰ２の無目７として使用される場合には、上側の接合部材２がレール部材２Ａとなり、障子９１を案内し、下側の接合部材２は、不燃木材１０Ａ、１０Ｂ、１０Ｃの接合の役目のみを担う。
さらに、間仕切りパネルＰ２の下枠６Ｂとして使用される場合には、上側の接合部材２は、不燃木材１０Ａ、１０Ｂ、１０Ｃの接合の役目のみを担い、下側の接合部材２が、構造体の基礎に配設されるアンカとの接合材となり、アンカと溶接等の接合手段によって接合することで間仕切りパネルＰ２が基礎に固定される。
【００３５】
以上、本発明の枠材について、その実施例に基づいて説明したが、本発明は上記実施例に記載した構成に限定されるものではなく、その趣旨を逸脱しない範囲において適宜その構成を変更することができるものである。
【産業上の利用可能性】
【００３６】
本発明の枠材は、重ね合わせた不燃木材の接着面の剥離を抑制し、接合した不燃木材の分離を防止することができるという特性を有していることから、厚さ方向の寸法が５０ｍｍを超える間仕切りパネル用の枠材の用途に好適に用いることができる。
【符号の説明】
【００３７】
１    枠材
１０Ａ  不燃木材
１０Ｂ  不燃木材
１０Ｃ  不燃木材
１０ａ  当接面
１０ｂ  外表面
２    接合部材
２Ａ  レール部材
３    固定手段
【図１】
0005769200.tif 000002
【図２】
0005769200.tif 000003
【図３】
0005769200.tif 000004
【図４】
0005769200.tif 000005